【手続補正書】
【提出日】平成17年2月17日(2005.2.17)
【手続補正１】
【補正対象書類名】特許請求の範囲
【補正対象項目名】全文
【補正方法】変更
【補正の内容】
【特許請求の範囲】
【請求項１】
垂直配向モードの液晶セルをノーマリブラックモードで駆動する液晶表示装置の駆動方法であって、前回指示された階調から今回指示された階調への階調遷移を強調するように、今回の階調を補正する補正工程を含む液晶表示装置の駆動方法において、
前回の階調と今回の階調との組み合わせが、画素のある部分の階調が目標値を予め定める第１の許容値以上に超過しない程度に階調遷移を強調すると、画素の他の部分の階調が目標値に到達するまでの時間が予め定める第２の許容値以上に長くなり、画素のある部分の階調が目標値に到達するまでの時間が上記第２の許容値を下回る程度に階調遷移を強調すると、画素の他の部分の階調が上記第１の許容値を超える組み合わせとして予め定められた第１の組み合わせに該当するか否かを判定する判定工程と、
前回の階調と今回の階調との組み合わせが上記第１の組み合わせに該当する場合、上記補正工程の前に、次回に指示される階調がいずれの階調であっても今回の階調と次回の階調との組み合わせが上記第１の組み合わせに該当しないように予め定められた第１の階調へ今回の階調を置換する第１の置換工程と、
前々回の階調と前回の階調との組み合わせが上記第１の組み合わせに該当する場合、上記補正工程の前に、前回の階調を、前回の階調遷移によって到達する階調として予め定められた第２の階調に置き換える第２の置換工程とを含んでいることを特徴とする液晶表示装置の駆動方法。
【請求項２】
上記第２の階調は、第１の階調と同一に設定されており、
上記補正工程では、第１の階調への階調遷移が指示された場合、画素内の各領域のうち、応答速度が最も遅い領域の階調が第１の階調に到達するように、階調遷移を強調することを特徴とする請求項１記載の液晶表示装置の駆動方法。
【請求項３】
上記液晶セルは、２５６階調表示可能な液晶セルであって、
輝度の高い階調になる程大きな階調とするとき、上記第１の階調は、３２階調に設定されていることを特徴とする請求項１または２記載の液晶表示装置の駆動方法。
【請求項４】
垂直配向モードの液晶セルをノーマリブラックモードで駆動する液晶表示装置の駆動方法であって、前回指示された階調から今回指示された階調への階調遷移を強調するように、今回の階調を補正する補正工程を含む液晶表示装置の駆動方法において、
前回の階調と今回の階調との組み合わせが、画素のある部分の階調が目標値を予め定める第１の許容値以上に超過しない程度に階調遷移を強調すると、画素の他の部分の階調が目標値に到達するまでの時間が予め定める第２の許容値以上に長くなり、画素のある部分の階調が目標値に到達するまでの時間が上記第２の許容値を下回る程度に階調遷移を強調すると、画素の他の部分の階調が上記第１の許容値を超える組み合わせとして予め定められた第１の組み合わせに該当するか否かを判定する判定工程と、
前回の階調と今回の階調との組み合わせが上記第１の組み合わせに該当する場合、上記補正工程の前に、今回の階調に予め定められた第１の値を加算する第１の演算工程と、
前々回の階調と前回の階調との組み合わせが上記第１の組み合わせに該当する場合、上記補正工程の前に、前回の階調を、予め定められた第２の値だけ減少させる第２の演算工程とを含んでいることを特徴とする液晶表示装置の駆動方法。
【請求項５】
上記液晶セルは、２５６階調表示可能な液晶セルであって、
輝度の高い階調になる程大きな階調とするとき、上記第１の値は、−１６階調から＋１６階調までの値に設定されていると共に、上記第２の値は、２階調から１６階調までの値に設定されていることを特徴とする請求項４記載の液晶表示装置の駆動方法。
【請求項６】
上記液晶セルは、２５６階調表示可能な液晶セルであって、
輝度の高い階調になる程大きな階調とするとき、上記第１の値は、２階調から１６階調までの値に設定されていると共に、上記第２の値は、２階調から１２階調までの値に設定されていることを特徴とする請求項４記載の液晶表示装置の駆動方法。
【請求項７】
上記判定工程では、前回の階調が予め定めるしきい値より小さく、今回の階調が予め定める範囲であり、しかも、今回の階調の方が前回よりも輝度が大きいときに、上記第１の組み合わせであると判定することを特徴とする請求項１または４記載の液晶表示装置の駆動方法。
【請求項８】
上記液晶セルのパネル温度に応じて、上記しきい値および範囲を変更することを特徴とする請求項７記載の液晶表示装置の駆動方法。
【請求項９】
上記液晶セルは、２５６階調表示可能な液晶セルであって、
輝度の高い階調になる程大きな階調とするとき、上記しきい値は、３２階調であり、
上記範囲は、３２階調以上かつ１６０階調より小さい範囲であることを特徴とする請求項７記載の液晶表示装置の駆動方法。
【請求項１０】
上記液晶セルは、２５６階調表示可能な液晶セルであって、
輝度の高い階調になる程大きな階調とするとき、上記しきい値は、３２階調であり、
上記範囲は、１６階調以上かつ９６階調より小さい範囲であることを特徴とする請求項７記載の液晶表示装置の駆動方法。
【請求項１１】
上記液晶セルは、２５６階調表示可能な液晶セルであって、
輝度の高い階調になる程大きな階調とするとき、上記液晶セルのパネル温度が１５℃よりも低い場合は、上記しきい値を３２階調に設定し、上記範囲を３２階調以上かつ１６０階調より小さい範囲に設定すると共に、上記パネル温度が１５℃以上の場合には、上記しきい値を３２階調に設定し、上記範囲を１６階調以上かつ９６階調より小さい範囲に設定することを特徴とする請求項７記載の液晶表示装置の駆動方法。
【請求項１２】
さらに、前々回の階調と前回の階調との組み合わせが、階調遷移を強調しても応答の不足する組み合わせとして予め定められた第２の組み合わせに該当する場合、上記第１および第２の置換工程の実施を中止することを特徴とする請求項１記載の液晶表示装置の駆動方法。
【請求項１３】
画素内に応答速度の相異なる各領域が混在する液晶表示装置の駆動方法であって、
繰り返し行われる補正工程と、
前回指示された階調と今回指示された階調との組み合わせが、上記各領域における応答速度の相違に基づく表示品質の劣化が発生すると予め定められた第１の組み合わせに該当する場合に行われる調整工程とを含み、
上記各補正工程は、前回指示された階調から今回指示された階調への階調遷移を強調するように、今回の階調を補正する工程であって、
上記調整工程は、今回の補正工程と次回の補正工程との双方における補正を調整する工程であることを特徴とする液晶表示装置の駆動方法。
【請求項１４】
上記調整工程では、応答速度の遅い領域の階調が次回の補正工程における補正の調整によって今回指示された階調付近に到達できる階調であって、しかも、画素全体の表示階調を実質的に変化させない階調へと遷移するように、今回の補正工程における補正を予備的に調整することを特徴とする請求項１３記載の液晶表示装置の駆動方法。
【請求項１５】
上記調整工程では、画素全体の輝度の平均値が今回指示された階調付近へ到達するように、今回の補正工程における補正を調整すると共に、応答速度の遅い領域の階調を今回指示された階調へ引き上げるように、次回の補正工程における階調補正を調整することを特徴とする請求項１３記載の液晶表示装置の駆動方法。
【請求項１６】
垂直配向モードの液晶セルをノーマリブラックモードで駆動する液晶表示装置の駆動装置であって、
前回指示された階調から今回指示された階調への階調遷移を強調するように、今回の階調を補正する補正手段と、
前回の階調と今回の階調との組み合わせが、画素のある部分の階調が目標値を予め定める第１の許容値以上に超過しない程度に階調遷移を強調すると、画素の他の部分の階調が目標値に到達するまでの時間が予め定める第２の許容値以上に長くなり、画素のある部分の階調が目標値に到達するまでの時間が上記第２の許容値を下回る程度に階調遷移を強調すると、画素の他の部分の階調が上記第１の許容値を超える組み合わせとして予め定められた第１の組み合わせに該当するか否かを判定する判定手段と、
前回の階調と今回の階調との組み合わせが上記第１の組み合わせに該当する場合、次回に指示される階調がいずれの階調であっても今回の階調と次回の階調との組み合わせが上記第１の組み合わせに該当しないように予め定められた第１の階調へ今回の階調を置換して、上記補正手段へ入力する第１の置換手段と、
前々回の階調と前回の階調との組み合わせが上記第１の組み合わせに該当する場合、前回の階調を、前回の階調遷移によって到達する階調として予め定められた第２の階調に置き換えて、上記補正手段へ入力する第２の置換手段とを備えていることを特徴とする液晶表示装置の駆動装置。
【請求項１７】
垂直配向モードの液晶セルをノーマリブラックモードで駆動する液晶表示装置の駆動装置であって、
前回指示された階調から今回指示された階調への階調遷移を強調するように、今回の階調を補正する補正手段と、
前回の階調と今回の階調との組み合わせが、画素のある部分の階調が目標値を予め定める第１の許容値以上に超過しない程度に階調遷移を強調すると、画素の他の部分の階調が目標値に到達するまでの時間が予め定める第２の許容値以上に長くなり、画素のある部分の階調が目標値に到達するまでの時間が上記第２の許容値を下回る程度に階調遷移を強調すると、画素の他の部分の階調が上記第１の許容値を超える組み合わせとして予め定められた第１の組み合わせに該当するか否かを判定する判定手段と、
前回の階調と今回の階調との組み合わせが上記第１の組み合わせに該当する場合、今回の階調に予め定められた第１の値を加算して上記補正手段へ入力する第１の演算手段と、
前々回の階調と前回の階調との組み合わせが上記第１の組み合わせに該当する場合、前回の階調を、予め定められた第２の値だけ減少させて、上記補正手段へ入力する第２の演算手段とを含んでいることを特徴とする液晶表示装置の駆動装置。
【請求項１８】
画素内に応答速度の相異なる各領域が混在する液晶表示装置の駆動装置であって、
前回指示された階調から今回指示された階調への階調遷移を強調するように、今回の階調を補正する補正動作を繰り返し行う補正手段と、
前回指示された階調から今回指示された階調との組み合わせが表示品質の劣化が発生する第１の組み合わせに該当する場合、上記各領域における応答速度の相違に基づく上記表示品質の劣化が低減されるように、上記補正手段により、順次、実行される第１および第２の補正動作をそれぞれ調整する調整手段とを含んでいることを特徴とする液晶表示装置の駆動装置。
【請求項１９】
上記調整手段は、応答速度の遅い領域の階調が上記補正手段による第１の補正の調整によって今回指示された階調付近に到達できる階調であって、しかも、画素全体の表示階調を実質的に変化させない階調へと遷移するように、上記補正手段による第２の補正を予備的に調整することを特徴とする請求項１８記載の液晶表示装置の駆動装置。
【請求項２０】
上記調整手段は、画素全体の輝度の平均値が今回指示された階調付近へ到達するように、上記補正手段による第１の補正を調整し、応答速度の遅い領域の階調を今回指示された階調へ引き上げるように、上記補正手段による第２の補正を調整することを特徴とする請求項１８記載の液晶表示装置の駆動装置。
【請求項２１】
上記調整手段は、第１の動作と第２の動作との何れを行うかを、上記液晶表示装置の液晶パネルのパネル温度に応じて切り換え、
上記第１の動作は、応答速度の遅い領域の階調が上記補正手段による第１の補正の調整によって今回指示された階調付近に到達できる階調であって、しかも、画素全体の表示階調を実質的に変化させない階調へと遷移するように、上記補正手段による第２の補正を予備的に調整する動作であり、
上記第２の動作は、画素全体の輝度の平均値が今回指示された階調付近へ到達するように、上記補正手段による第１の補正を調整すると共に、応答速度の遅い領域の階調を今回指示された階調へ引き上げるように、上記補正手段による第２の補正を調整する動作である請求項１８記載の液晶表示装置の駆動装置。
【請求項２２】
応答速度の相異なる複数の各領域が混在する液晶表示装置の駆動装置であって、
前回指示されたフレームから今回指示されたフレームへの階調遷移が階調遷移の許容値を超えるとき、今回指示されたフレームの階調データを第１の階調値の階調データに置き換える第１の置換手段と、
前回指示されたフレームから今回指示されたフレームへの階調遷移を強調するように、今回指示されたフレームの階調データおよび第１の階調値のデータの少なくとも一方を補正するようになっている補正手段とを有し、
上記第１の階調値は、所望しない輝度の発生の減少および応答速度の向上の少なくとも一方を可能にするものである液晶表示装置の駆動装置。
【請求項２３】
応答速度の相異なる複数の各領域が混在する液晶表示装置の駆動装置であって、
前回指示されたフレームから今回指示されたフレームへの階調遷移が階調遷移の許容値を超えるか否かを判定する判定手段と、
前回指示されたフレームから今回指示されたフレームへの階調遷移が階調遷移の許容値を超えると判定されたとき、今回指示されたフレームの階調データを第１の階調値の階調データに置き換える第１の置換手段と、
前回指示されたフレームから今回指示されたフレームへの階調遷移を強調するように、今回指示されたフレームの階調データおよび第１の階調値のデータの少なくとも一方を補正するようになっている補正手段とを有し、
上記第１の階調値は、所望しない輝度の発生の減少および応答速度の向上の少なくとも一方を可能にするものである液晶表示装置の駆動装置。
【請求項２４】
応答速度の相異なる複数の各領域が混在する液晶表示装置の駆動装置であって、
上記液晶表示装置の少なくとの一部の温度を検知する温度センサと、
検知された温度に基づき第１および第２の各サブシステムの何れを利用するか判定する判定手段とを有し、
上記第１のサブシステムは、
前回指示されたフレームから今回指示されたフレームへの階調遷移が階調遷移の許容値を超えるか否かを判定する判定手段と、
前回指示されたフレームから今回指示されたフレームへの階調遷移が階調遷移の許容値を超えると判定されたとき、今回指示されたフレームの階調データを第１の階調値の階調データに置き換える第１の置換手段と、
前回指示されたフレームから今回指示されたフレームへの階調遷移を強調するように、今回指示されたフレームの階調データおよび第１の階調値のデータの少なくとも一方を補正するようになっている補正手段とを備え、
上記第１の階調値は、所望しない輝度の発生の減少および応答速度の向上の少なくとも一方を可能にするものであり、
前記第２のサブシステムは、
前回指示されたフレームから今回指示されたフレームへの階調遷移が階調遷移の許容値を超えるか否かを判定する判定手段と、
前回指示されたフレームから今回指示されたフレームへの階調遷移が階調遷移の許容値を超えると判定されたとき、今回指示されたフレームの階調データに対し、第１の値を加える加算手段と、
前回指示されたフレームから今回指示されたフレームへの階調遷移を強調するように、今回指示されたフレームの階調データおよび第１の階調値のデータの少なくとも一方を補正するようになっている補正手段とを備え、
上記第１の値は、所望しない輝度の発生の減少および応答速度の向上の少なくとも一方を可能にするものである液晶表示装置の駆動装置。
【請求項２５】
さらに、第１の置換手段において今回指示されたフレームの階調データを第１の階調値の階調データに置き換えたときに、前回指示されたフレームの階調データを第２の階調値の階調データに置き換えるようになっている第２の置換手段を有する請求項２２ないし２４の何れか１項に記載の液晶表示装置の駆動装置。
【請求項２６】
応答速度の相異なる複数の各領域が混在する液晶表示装置の駆動装置であって、
前回指示されたフレームから今回指示されたフレームへの階調遷移が階調遷移の許容値を超えるか否かを判定する判定手段と、
前回指示されたフレームから今回指示されたフレームへの階調遷移が階調遷移の許容値を超えると判定されたとき、今回指示されたフレームの階調データに対し、第１の値を加える加算手段と、
前回指示されたフレームから今回指示されたフレームへの階調遷移を強調するように、今回指示されたフレームの階調データおよび第１の階調値のデータの少なくとも一方を補正するようになっている補正手段とを有し、
上記第１の値は、所望しない輝度の発生の減少および応答速度の向上の少なくとも一方を可能にするものである液晶表示装置の駆動装置。
【請求項２７】
さらに、上記第１の値が加算されたとき、現在の階調データから第２の値を引く減算手段を有する請求項２４または２６記載の液晶表示装置の駆動装置。
【請求項２８】
上記液晶表示装置は、垂直配向モードおよびノーマリブラックモードを備えたものである請求項１８ないし２７の何れか１項に記載の液晶表示装置の駆動装置。
【請求項２９】
応答速度の相異なる複数の各領域が混在する液晶表示装置の駆動方法であって、
前回指示されたフレームから今回指示されたフレームへの階調遷移が階調遷移の許容値を超えるとき、今回指示されたフレームの階調データを第１の階調値の階調データに置き換える第１の置換工程と、
前回指示されたフレームから今回指示されたフレームへの階調遷移を強調するように、今回指示されたフレームの階調データおよび第１の階調値のデータの少なくとも一方を補正するようになっている補正工程とを有し、
上記第１の階調値は、所望しない輝度の発生の減少および応答速度の向上の少なくとも一方を可能にするものである液晶表示装置の駆動方法。
【請求項３０】
応答速度の相異なる複数の各領域が混在する液晶表示装置の駆動方法であって、
前回指示されたフレームから今回指示されたフレームへの階調遷移が階調遷移の許容値を超えるか否かを判定する判定工程と、
前回指示されたフレームから今回指示されたフレームへの階調遷移が階調遷移の許容値を超えると判定されたとき、今回指示されたフレームの階調データを第１の階調値の階調データに置き換える第１の置換工程と、
前回指示されたフレームから今回指示されたフレームへの階調遷移を強調するように、今回指示されたフレームの階調データおよび第１の階調値のデータの少なくとも一方を補正するようになっている補正工程とを有し、
上記第１の階調値は、所望しない輝度の発生の減少および応答速度の向上の少なくとも一方を可能にするものである液晶表示装置の駆動方法。
【請求項３１】
さらに、第１の置換工程において今回指示されたフレームの階調データを第１の階調値の階調データに置き換えたときに、前回指示されたフレームの階調データを第２の階調値の階調データに置き換えるようになっている第２の置換工程を有する請求項２９または３０記載の液晶表示装置の駆動方法。
【請求項３２】
さらに、前々回の階調と前回の階調との組み合わせが、階調遷移を強調しても応答の不足する組み合わせとして予め定められた第２の組み合わせに該当する場合、上記置換工程の実施を中止する請求項２９ないし３１の何れか１項に記載の液晶表示装置の駆動方法。
【請求項３３】
応答速度の相異なる複数の各領域が混在する液晶表示装置の駆動方法であって、
前回指示されたフレームから今回指示されたフレームへの階調遷移が階調遷移の許容値を超えるか否かを判定する判定工程と、
前回指示されたフレームから今回指示されたフレームへの階調遷移が階調遷移の許容値を超えると判定されたとき、今回指示されたフレームの階調データに対し、第１の値を加える加算工程と、
前回指示されたフレームから今回指示されたフレームへの階調遷移を強調するように、今回指示されたフレームの階調データおよび第１の階調値のデータの少なくとも一方を補正するようになっている補正工程とを有し、
上記第１の値は、所望しない輝度の発生の減少および応答速度の向上の少なくとも一方を可能にするものである液晶表示装置の駆動方法。
【請求項３４】
さらに、上記第１の値が加算されたとき、現在の階調データから第２の値を引く減算工程を有する請求項３３記載の液晶表示装置の駆動方法。
【請求項３５】
さらに、前々回の階調と前回の階調との組み合わせが、階調遷移を強調しても応答の不足する組み合わせとして予め定められた第２の組み合わせに該当する場合、上記加算工程の実施を中止する請求項３３または３４記載の液晶表示装置の駆動方法。
【請求項３６】
応答速度の相異なる複数の各領域が混在する液晶表示装置の駆動方法であって、
上記液晶表示装置の少なくとの一部の温度を検知する検知工程と、
検知された温度に基づき第１および第２の各サブ工程の何れを実行するか判定する判定工程とを有し、
上記第１のサブ工程は、
前回指示されたフレームから今回指示されたフレームへの階調遷移が階調遷移の許容値を超えるか否かを判定する判定ステップと、
前回指示されたフレームから今回指示されたフレームへの階調遷移が階調遷移の許容値を超えると判定されたとき、今回指示されたフレームの階調データを第１の階調値の階調データに置き換える第１の置換ステップと、
前回指示されたフレームから今回指示されたフレームへの階調遷移を強調するように、今回指示されたフレームの階調データおよび第１の階調値のデータの少なくとも一方を補正するようになっている補正ステップとを備え、
上記第１の階調値は、所望しない輝度の発生の減少および応答速度の向上の少なくとも一方を可能にするものであり、
前記第２のサブ工程は、
前回指示されたフレームから今回指示されたフレームへの階調遷移が階調遷移の許容値を超えるか否かを判定する判定ステップと、
前回指示されたフレームから今回指示されたフレームへの階調遷移が階調遷移の許容値を超えると判定されたとき、今回指示されたフレームの階調データに対し、第１の値を加える加算ステップと、
前回指示されたフレームから今回指示されたフレームへの階調遷移を強調するように、今回指示されたフレームの階調データおよび第１の階調値のデータの少なくとも一方を補正するようになっている補正ステップとを備え、
上記第１の値は、所望しない輝度の発生の減少および応答速度の向上の少なくとも一方を可能にするものである液晶表示装置の駆動方法。
【請求項３７】
上記第１のサブ工程は、さらに、
今回指示されたフレームの階調データを第１の階調値の階調データに置き換えたときに、前回指示されたフレームの階調データを第２の階調値の階調データに置き換えるようになっている第２の置換ステップを有する請求項３６記載の液晶表示装置の駆動方法。
【請求項３８】
上記第２のサブ工程は、さらに、
上記第１の値が加算されたとき、現在の階調データから第２の値を引く減算ステップを有する請求項３６または３７記載の液晶表示装置の駆動方法。
【請求項３９】
上記液晶表示装置は、垂直配向モードおよびノーマリブラックモードを備えたものである請求項２９ないし３８の何れか１項に記載の液晶表示装置の駆動方法。
【請求項４０】
液晶表示装置と、請求項１６ないし２８の何れか１項に記載の駆動装置とを有する液晶テレビ。
【請求項４１】
請求項１ないし１５の何れか１項、または、請求項２９ないし３９の何れか１項に記載の駆動方法をコンピュータにて実行可能となっているプログラム。
【請求項４２】
請求項４１記載のプログラムをコンピュータにて読み取り可能に記録した記録媒体。
【請求項４３】
画素内に応答速度の相異なる各領域が混在する液晶表示装置の駆動方法であって、
前回指示された階調および今回指示された階調の組み合わせと、前々回指示された階調および前回指示された階調の組み合わせとの双方が、予め定められた第１の組み合わせに該当しない場合、前回指示された階調から今回指示された階調への階調遷移を強調するように、今回の階調を補正した信号を出力する工程と、
前回指示された階調および今回指示された階調の組み合わせが、上記第１の組み合わせに該当する場合、今回の階調を予め定められた第１の階調へ置換した上で、前回指示された階調から当該置換された階調への階調遷移を強調するように、当該置換された階調を補正した信号を出力する工程と、
前々回指示された階調および前回指示された階調の組み合わせが、上記第１の組み合わせに該当する場合、前回の階調を予め定められた第２の階調へ置換した上で、当該置換された階調から今回の階調への階調遷移を強調するように、今回の階調を補正した信号を出力する工程とを備えていることを特徴とする液晶表示装置の駆動方法。
【請求項４４】
画素内に応答速度の相異なる各領域が混在する液晶表示装置の駆動装置であって、
上記駆動装置は、前回指示された階調および今回指示された階調の組み合わせと、前々回指示された階調および前回指示された階調の組み合わせとの双方が、予め定められた第１の組み合わせに該当しない場合、前回指示された階調から今回指示された階調への階調遷移を強調するように、今回の階調を補正した信号を出力すると共に、前回指示された階調および今回指示された階調の組み合わせが、上記第１の組み合わせに該当する場合は、今回の階調を予め定められた第１の階調へ置換した上で、前回指示された階調から当該置換された階調への階調遷移を強調するように、当該置換された階調を補正した信号を出力し、前々回指示された階調および前回指示された階調の組み合わせが、上記第１の組み合わせに該当する場合、前回の階調を予め定められた第２の階調へ置換した上で、当該置換された階調から今回の階調への階調遷移を強調するように、今回の階調を補正した信号を出力するものであることを特徴とする液晶表示装置の駆動装置。
【請求項４５】
画素内に応答速度の相異なる各領域が混在する液晶表示装置の駆動方法であって、
前回指示された階調および今回指示された階調の組み合わせと、前々回指示された階調および前回指示された階調の組み合わせとの双方が、予め定められた第１の組み合わせに該当しない場合、前回指示された階調から今回指示された階調への階調遷移を強調するように、今回の階調を補正し、補正映像信号として出力して、１回の階調遷移強調によって所望の階調へ遷移するようにする工程と、
前回指示された階調および今回指示された階調の組み合わせが、上記第１の組み合わせに該当する場合、２回の階調遷移によって所望の値に到達させるように補正した補正映像信号を出力する工程とを含み、
上記２回の階調遷移のうち、１回目の階調遷移を予備的な階調遷移にすることを特徴とする液晶表示装置の駆動方法。
【請求項４６】
前回指示された階調が、最も低い輝度を示す０階調である場合、上記１回目の階調遷移のために出力される補正後の階調は、予め定められた階調であることを特徴とする請求項４５記載の液晶表示装置の駆動方法。
【請求項４７】
画素内に応答速度の相異なる各領域が混在する液晶表示装置の駆動装置であって、
上記駆動装置は、前回指示された階調および今回指示された階調の組み合わせと、前々回指示された階調および前回指示された階調の組み合わせとの双方が、予め定められた第１の組み合わせに該当しない場合、前回指示された階調から今回指示された階調への階調遷移を強調するように、今回の階調を補正し、補正映像信号として出力して、１回の階調遷移強調によって所望の階調へ遷移させ、前回指示された階調および今回指示された階調の組み合わせが、上記第１の組み合わせに該当する場合、２回の階調遷移によって所望の値に到達させるように補正した補正映像信号を出力すると共に、上記２回の階調遷移のうち、１回目の階調遷移を予備的な階調遷移にすることを特徴とする液晶表示装置の駆動装置。
【請求項４８】
前回指示された階調が、最も低い輝度を示す０階調である場合、上記１回目の階調遷移のために出力される補正後の階調は、予め定められた階調であることを特徴とする請求項４７記載の液晶表示装置の駆動装置。
【手続補正２】
【補正対象書類名】明細書
【補正対象項目名】００１２
【補正方法】変更
【補正の内容】
【００１２】
ここで、垂直配向モードの液晶セルは、電圧無印加時には、液晶分子が基板に対して略垂直に配向している。また、当該液晶セルでは、画素電極へ印加された電圧により、基板表面に対して斜め方向の電界を形成し、当該斜め方向の電界を形成する画素電極近傍の領域（第１領域と称する）の液晶分子を印加電圧に応じた傾斜角度に傾斜配向させると共に、液晶の連続性によって、上記画素電極のうち、斜め方向の電界を形成する部分から離れた領域（第２領域と称する）の液晶分子も同じ方向に傾斜配向させる。
【手続補正３】
【補正対象書類名】明細書
【補正対象項目名】００４６
【補正方法】変更
【補正の内容】
【００４６】
また、本発明に係る液晶表示装置の駆動方法は、前記課題を解決するために、画素内に応答速度の異なる領域が混在する液晶表示装置の駆動方法であって、繰り返し行われる補正工程と、前回指示された階調と今回指示された階調との組み合わせが、上記各領域における応答速度の相違に基づく表示品質の劣化が発生すると予め定められた第１の組み合わせに該当する場合に行われる調整工程を含み、上記各補正工程は、前回指示された階調から今回指示された階調への階調遷移を強調するように、今回の階調を補正する工程であって、上記調整工程は、今回の補正工程と次回の補正工程との双方における補正を調整する工程であることを特徴としている。
【手続補正４】
【補正対象書類名】明細書
【補正対象項目名】００５８
【補正方法】変更
【補正の内容】
【００５８】
さらに、本発明に係る液晶表示装置の駆動装置は、前記課題を解決するために、画素内に応答速度の異なる領域が混在する液晶表示装置の駆動装置であって、前回指示された階調から今回指示された階調への階調遷移を強調するように、今回の階調を補正する補正動作を繰り返し行う補正手段と、前回の階調と今回の階調との組み合わせが、上記各領域における応答速度の相違に基づく表示品質の劣化が発生すると予め定められた第１の組み合わせに該当する場合、上記表示品質の劣化が低減されるように、上記補正手段により、順次、実行される今回の補正（第１の補正）と次回の補正（第２の補正）をそれぞれ調整する調整手段を含んでいることを特徴としている。
【手続補正５】
【補正対象書類名】明細書
【補正対象項目名】００８７
【補正方法】変更
【補正の内容】
【００８７】
ところで、上記液晶表示装置の駆動装置は、ハードウェアで実現してもよいが、プログラムをコンピュータに実行させて実現してもよい。具体的には、本発明に係るプログラムは、上記各工程をコンピュータに実行させるプログラムであり、当該プログラムがコンピュータによって実行されると、当該コンピュータは、上記液晶表示装置の駆動方法によって液晶駆動装置を駆動できる。したがって、当該駆動方法と同様に、前回の階調と今回の階調との組み合わせが上記第１の組み合わせであるにも拘わらず、１回の階調遷移強調によって所望の階調へ遷移するように試みる構成において、応答時間が本願と同じになるように階調遷移強調の程度を設定し、黒尾引きの発生を防止した場合と比較して、白光り発生の程度を抑えることができ、より表示品質の高い液晶表示装置を実現できる。
また、本発明に係る液晶表示装置の駆動方法は、画素内に応答速度の相異なる各領域が混在する液晶表示装置の駆動方法であって、前回指示された階調および今回指示された階調の組み合わせと、前々回指示された階調および前回指示された階調の組み合わせとの双方が、予め定められた第１の組み合わせに該当しない場合、前回指示された階調から今回指示された階調への階調遷移を強調するように、今回の階調を補正した信号を出力する工程と、前回指示された階調および今回指示された階調の組み合わせが、上記第１の組み合わせに該当する場合、今回の階調を予め定められた第１の階調へ置換した上で、前回指示された階調から当該置換された階調への階調遷移を強調するように、当該置換された階調を補正した信号を出力する工程と、前々回指示された階調および前回指示された階調の組み合わせが、上記第１の組み合わせに該当する場合、前回の階調を予め定められた第２の階調へ置換した上で、当該置換された階調から今回の階調への階調遷移を強調するように、今回の階調を補正した信号を出力する工程とを備えていることを特徴としている。
さらに、本発明に係る液晶表示装置の駆動装置は、画素内に応答速度の相異なる各領域が混在する液晶表示装置の駆動装置であって、上記駆動装置は、前回指示された階調および今回指示された階調の組み合わせと、前々回指示された階調および前回指示された階調の組み合わせとの双方が、予め定められた第１の組み合わせに該当しない場合、前回指示された階調から今回指示された階調への階調遷移を強調するように、今回の階調を補正した信号を出力すると共に、前回指示された階調および今回指示された階調の組み合わせが、上記第１の組み合わせに該当する場合は、今回の階調を予め定められた第１の階調へ置換した上で、前回指示された階調から当該置換された階調への階調遷移を強調するように、当該置換された階調を補正した信号を出力し、前々回指示された階調および前回指示された階調の組み合わせが、上記第１の組み合わせに該当する場合、前回の階調を予め定められた第２の階調へ置換した上で、当該置換された階調から今回の階調への階調遷移を強調するように、今回の階調を補正した信号を出力するものであることを特徴としている。
また、本発明に係る液晶表示装置の駆動方法は、画素内に応答速度の相異なる各領域が混在する液晶表示装置の駆動方法であって、前回指示された階調および今回指示された階調の組み合わせと、前々回指示された階調および前回指示された階調の組み合わせとの双方が、予め定められた第１の組み合わせに該当しない場合、前回指示された階調から今回指示された階調への階調遷移を強調するように、今回の階調を補正し、補正映像信号として出力して、１回の階調遷移強調によって所望の階調へ遷移するようにする工程と、前回指示された階調および今回指示された階調の組み合わせが、上記第１の組み合わせに該当する場合、２回の階調遷移によって所望の値に到達させるように補正した補正映像信号を出力する工程とを含み、上記２回の階調遷移のうち、１回目の階調遷移を予備的な階調遷移にすることを特徴としている。
さらに、上記構成に加えて、前回指示された階調が、最も低い輝度を示す０階調である場合、上記１回目の階調遷移のために出力される補正後の階調は、予め定められた階調であってもよい。
また、本発明に係る液晶表示装置の駆動装置は、画素内に応答速度の相異なる各領域が混在する液晶表示装置の駆動装置であって、上記駆動装置は、前回指示された階調および今回指示された階調の組み合わせと、前々回指示された階調および前回指示された階調の組み合わせとの双方が、予め定められた第１の組み合わせに該当しない場合、前回指示された階調から今回指示された階調への階調遷移を強調するように、今回の階調を補正し、補正映像信号として出力して、１回の階調遷移強調によって所望の階調へ遷移させ、前回指示された階調および今回指示された階調の組み合わせが、上記第１の組み合わせに該当する場合、２回の階調遷移によって所望の値に到達させるように補正した補正映像信号を出力すると共に、上記２回の階調遷移のうち、１回目の階調遷移を予備的な階調遷移にすることを特徴としている。
さらに、上記構成に加えて、前回指示された階調が、最も低い輝度を示す０階調である場合、上記１回目の階調遷移のために出力される補正後の階調は、予め定められた階調であってもよい。
【手続補正６】
【補正対象書類名】明細書
【補正対象項目名】０１４４
【補正方法】変更
【補正の内容】
【０１４４】
これにより、判定処理部４１は、パネル温度の変動によって、液晶セル１１１の応答速度が変化して、角応答の発生エリアが変化しても、何ら支障なく、前フレームＦＲ(k-1) の映像データＤ(i,j,k-1) から現フレームＦＲ(k) の映像データＤ(i,j,k) への階調遷移が上記特定の組み合わせ（角応答発生エリア）に属しているか否かを判定できる。また、変調処理部３２は、パネル温度の変動による応答速度の変化によって、適切な階調遷移強調の程度が変化しても、何ら支障なく、現在のパネル温度にあった程度に階調遷移を強調できる。